(57)【要約】 【課題】  バリエーションに富んだ表示を行なうことが可能な表示手段を有する検出センサを提供することを目的とする。【解決手段】  圧力センサは、圧力検出部２１、ＣＰＵ２２、メモリ２５、表示部３０などを備える。表示部３０は、いわれるセグメント形式の液晶表示部であるが、一の表示体を１２個のセグメント電極片から構成しており、アルファニューメリック表示（英数字）をすることが出来る。従って、単に、数字だけを表示するものに比べて、バリエーションに富んだ表示を行なうことが可能となる。【選択図】  図６
2007064781.tif 000002
【特許請求の範囲】
【請求項１】
物理量の変化を検出し検出信号を出力する検出手段と、
第一表示部と第二表示部とを有して、検出条件メニュー、検出条件、前記検出結果に基づく検出値、前記検出値の表示単位のうちの少なくとも二つを同時に表示可能な表示手段と、
前記表示手段の表示内容を制御する表示制御手段と、を備えた検出センサであって、
前記第一表示部と第二表示部は、共に分割された複数のセグメント片よりなるセグメント方式の表示部であり、更に、これら両表示部のうち、前記検出条件メニュー、前記検出条件、前記表示単位を表示する側の表示部は、斜めのセグメント片を有しアルファニューメリック表示が可能とされていることを特徴とする検出センサ。
【請求項２】
前記検出手段によって検出が行なわれているときに、
前記表示制御手段は、前記第一、第二の両表示部のいずれか一方に前記検出値を表示させ、他方側の表示部に前記検出値に対応する表示単位を表示させることを特徴とする請求項１に記載の検出センサ。
【請求項３】
前記検出センサは検出手段として感圧素子を有する圧力センサであり、
前記表示制御手段は前記一方の表示部に前記検出値として圧力値させ、他方側の表示部に圧力値に対応する表示単位をそれぞれ表示させることを特徴とする請求項２に記載の検出センサ。
【請求項４】
前記他方側の表示部は、「ｋＰａ」、「ＭＰａ」、「ｍｍＨｇ」、「ｋｇＦ／ｃｍ２」のうち少なくともいずれか一つの表示単位に対応する英数字を表示可能であることを特徴とする請求項３に記載の検出センサ。
【請求項５】
前記両表示部は前記セグメント片を有する表示板の背面側に表示用光源を有する液晶表示部であることを特徴とする請求項１ないし請求項４のいずれかに記載の検出センサ。
【請求項６】
複数の検出条件から一の検出条件を選択するための選択操作手段を備えるとともに、
前記表示制御手段は、前記検出条件の選択が行われる場合には、
前記両表示部のいずれか一方に、前記検出条件メニューを表示させ、
他方側の表示部に前記検出条件を表示させるとともに、
その状態から前記選択操作手段が操作されると、検出条件が表示された側の表示部の表示内容を前記選択操作手段が操作される都度、異なる検出条件を表示する内容に変更するべく表示制御することを特徴とする請求項１ないし請求項５のいずれかに記載の検出センサ。
【請求項７】
前記第二表示部の表示色は、前記第一表示部の表示色とは異なる表示色に設定されていることを特徴とする請求項１ないし請求項６のいずれかに記載の検出センサ。
【発明の詳細な説明】
【技術分野】
【０００１】
本発明は、検出センサに関する。
【背景技術】
【０００２】
従来より、検出部、処理部、表示部等よりなる検出センサが広く知られている。この種の検出センサにおいて、表示部は、主として検出結果を数字で表示する用途に用いられており、７セグメント表示（７つのセグメント片により表示体が構成されるもの）を行なうものが一般的であった。しかし、近年では、表示部に表示させる内容が多様化しており、数字の他にも、種々のものを表示させることがあるが、７セグメント表示形式では、表示可能な内容に限界があった。
一方、セグメント形式には、７セグメント式の表示体に斜めのセグメント片を加えて、アルファニューメリック表示（英字表示）を可能とするものがある（特許文献１）。このものは、タクシーメータの種別機能を担う表示部分にアルファニューメリック表示体を１つ使用している。
【特許文献１】実開平６−３０８６６号公報
【発明の開示】
【発明が解決しようとする課題】
【０００３】
上記文献のものは、タクシーメータの種別機能を担う表示部分にアルファニューメリック表示体を１つ使用しているに過ぎず、これを検出センサの表示部にそのまま適用したとしても、表示にバリエーションを持たせることが出来るとは言い難い。
本発明は上記のような事情に基づいて完成されたものであって、バリエーションに富んだ表示を行なうことが可能な表示手段を有する検出センサを提供することを目的とする。
【課題を解決するための手段】
【０００４】
上記の目的を達成するための手段として、請求項１の発明は、物理量の変化を検出し検出信号を出力する検出手段と、第一表示部と第二表示部とを有して、検出条件メニュー、検出条件、前記検出結果に基づく検出値、前記検出値の表示単位のうちの少なくとも二つを同時に表示可能な表示手段と、前記表示手段の表示内容を制御する表示制御手段と、を備えた検出センサであって、前記第一表示部と第二表示部は、共に分割された複数のセグメント片よりなるセグメント方式の表示部であり、更に、これら両表示部のうち、前記検出条件メニュー、前記検出条件、前記表示単位を表示する側の表示部は、斜めのセグメント片を有しアルファニューメリック表示が可能とされているところに特徴を有する。
【０００５】
請求項２の発明は、請求項１に記載のものにおいて、前記検出手段によって検出が行なわれているときに、前記表示制御手段は、前記第一、第二の両表示部のいずれか一方に前記検出値を表示させ、他方側の表示部に前記検出値に対応する表示単位を表示させるところに特徴を有する。
【０００６】
請求項３の発明は、請求項２に記載のものにおいて、前記検出手段によって検出が行なわれているときに、前記表示制御手段は、第一、第二の両表示部のいずれか一方に前記検出値を表示させ、他方側の表示部に前記検出値に対応する表示単位を表示させるところに特徴を有する。
【０００７】
請求項４の発明は、請求項３に記載のものにおいて、前記他方側の表示部は、「ｋＰａ」、「ＭＰａ」、「ｍｍＨｇ」、「ｋｇＦ／ｃｍ２」のうち少なくともいずれか一つの表示単位に対応する英数字を表示可能であるところに特徴を有する。
【０００８】
請求項５の発明は、請求項１ないし請求項４のいずれかに記載のものにおいて、前記両表示部は前記セグメント片を有する表示板の背面側に表示用光源を有する液晶表示部であるところに特徴を有する。
【０００９】
請求項６の発明は、請求項１ないし請求項５のいずれかに記載のものにおいて、複数の検出条件から一の検出条件を選択するための選択操作手段を備えるとともに、前記表示制御手段は、前記検出条件の選択が行われる場合には、前記両表示部のいずれか一方に、前記検出条件メニューを表示させ、他方側の表示部に前記検出条件を表示させるとともに、その状態から前記選択操作手段が操作されると、検出条件が表示された側の表示部の表示内容を前記選択操作手段が操作される都度、異なる検出条件を表示する内容に変更するべく表示制御するところに特徴を有する。
【００１０】
請求項７の発明は、請求項１ないし請求項６のいずれかに記載のものにおいて、前記第二表示部の表示色は、前記第一表示部の表示色とは異なる表示色に設定されているところに特徴を有する。
【発明の効果】
【００１１】
＜請求項１の発明＞
一般に、センサの表示部は複数の表示体より構成され複数桁の数字を表示できるようになっているが、請求項１の構成であれば、複数桁の数字の表示に加えて、英数字を組み合わせた文字列等を表示することが可能となるので、バリエーションに富んだ表示を行なうことが可能となる。
【００１２】
＜請求項２の発明＞
請求項２の発明によれば、検出手段によって検出が行なわれているときに、一方の表示部には検出値が表示され、他方の表示部には表示単位が表示される。仮に、検出値のみを表示する構成とすると、オペレータの思い込み（現実の表示単位とは異なる単位で表示がされているという思い込み）により、検出レベルを誤って把握することが起こりえるが、検出値と併せて表示単位を表示させているので、係る誤認を未然に回避することが出来る。
【００１３】
＜請求項３の発明＞
圧力に使用される表示単位は、他の物理量を表示する場合の単位に比べて使用される単位の種類が多く、表示単位等の表示がされていないと、どの表示単位で検出を行なっているか、特に判断し難いという事情があるが、請求項３の発明によれば、一方の表示部に圧力値を表示させ、他方の表示部に表示単位を表示させる構成としているので、他方の表示部を参照することで表示単位を一目で把握できる。
【００１４】
＜請求項４の発明＞
「ｋＰａ」、「ＭＰａ」、「ｍｍＨｇ」、「ｋｇＦ／ｃｍ２」は、いずれも圧力の表示単位であるが、単なる数字のみ表示可能な表示体では、これらを表示することは難しく、仮に表示させたとしても、それは、「Ｋ」、「Ｍ」等の文字を省略させて表示させるものであったり、これらの文字を態様が似通った他の記号に置き換えて表示を行なう等であり、その表示を初めて見たものが、表示内容から表示単位を適格に把握できる、とは言いがたい状況にあった。
この点に関し、請求項４の発明によれば、これらの表示単位をアルファニューメリック表示させているので、表示が分かり易く、表示を初めて見た者であっても、表示内容から表示単位を容易に把握することが出来る。
【００１５】
＜請求項５の発明＞
表示部の構成としては、ＬＥＤ表示タイプ（各セグメント片それ自体を発光体で構成するもの）と、液晶表示タイプ（パネル背面のバックライトを光源にして表示を 行なうもの）とがある。一方、アルファニューメリック表示をさせる場合には、単なる数字表示のみ行なうものに比べて、より多くのセグメント片を使用することとなるが、ＬＥＤ表示タイプではセグメント片の数だけ発光体が必要となるので、どうしても、コスト高となる。この点、液晶表示タイプであれば、光源を増加させることなくアルファニューメリック表示をさせることができるので、ＬＥＤ表示タイプに比べて、コスト面で有利となる。
【００１６】
＜請求項６の発明＞
請求項６の発明によれば、検出条件の選択が行われる場合には、一方側の表示部に検出条件メニューが表示され、他方側の表示部に検出条件が表示される。そして、その状態から、選択操作手段が操作されると他方側の表示部の表示内容、すなわち検出条件が、その都度、変更される。
このような構成であれば、所望の検出条件が表示されたら、後は、その検出条件に決定する操作を行なうだけ検出条件を所望の条件に簡単に変更できる。
【００１７】
＜請求項７の発明＞
請求項７の発明によれば、第一表示部と、第二表示部とで表示色を異ならせてあるから、両部が異なる情報を表示していることを、作業者に視覚的に伝えることが出来る。
【発明を実施するための最良の形態】
【００１８】
＜実施形態１＞
本発明の実施形態１を図１ないし図１０によって説明する。
１．全体構成
圧力センサ（本発明の検出センサに相当）２０は、筐体２０Ａの前面壁に表示部（本発明の表示手段に相当）３０と、その下方位置にメニュースイッチ５１、上下スイッチ（本発明の選択操作手段に相当）５５を配置してなる。本実施形態は、係る圧力センサ２０を電子部品（ＩＣ）の吸着確認に使用したものを例示している。尚、吸着確認とは、電子部品を吸着器で吸引して搬送をおこなう際に、吸着部分の圧力を測定することで電子部品が正しく吸引されて保持されているか、否かを確認するものである。
【００１９】
図１に示す符号１０は電子部品、符号１１は電子部品１０が並べて収容されるパレット、符号１５は吸引装置のヘッド部、符号２０は圧力センサである。吸引装置のヘッド部１５は下端部に吸着盤１７を有するシリンダロッド１６を４本備えてなる。各シリンダロッド１６は油圧により、所定ストローク伸張するよう構成され、常には、ロッド長が短い状態にあるが、吸引時には伸張して下端に設けられる吸着盤１７が電子部品１０の上面に密着する。
【００２０】
そして、密着した状態から、図示しないポンプを駆動させて吸気を行うことで電子部品１０を真空吸引するよう構成され、その状態からヘッド部１５全体が移動することで、電子部品１０の搬送を行うことができるようになっている。
【００２１】
本実施形態において圧力センサ２０は、シリンダロッド１６の使用数に応じて４個が横並びに配置されている。これら各圧力センサ２０１〜２０４には圧力導入ポート（図示せず）がそれぞれ設けられており、そこに、各シリンダロッド１６の下部から引き出された圧力導入用のエアー管（図２参照）１８が連なっている。これにより、各シリンダロッド２１の吸着盤１７の吸引圧がエアー管１８を通じて各圧力センサ２０１〜２０４にそれぞれ取り込まれるように構成されている。
【００２２】
２．圧力センサの構成
次に、圧力センサ２０の電気的構成を図３を参照して説明する。
同図に示す符号２１は圧力検出部（本発明の検出手段に相当）、符号２２はＣＰＵ（本発明の表示制御手段に相当）、符号２５はメモリ、符号５１はメニュースイッチ、符号５５は上下スイッチ、符号３０は表示部である。
【００２３】
圧力検出部２１は半導体ダイヤフラムを用いた感圧素子から構成され、ＣＰＵ２２とともに筐体２０Ａ内に格納されている。そして、圧力検出部２１は圧力導入ポートを通じて、吸引圧（本発明の物理量に相当する）が取り込まれると、その大きさに応じたレベルの検出信号ＳｒをＣＰＵ２２に対して出力する。
【００２４】
ＣＰＵ２２は、圧力センサ全体を制御するものであって、圧力検出部２１から出力された検出信号Ｓｒの信号レベルと、メモリ２５に記憶された閾値とを比較して検出状態について判定を行なう。また、次述する表示部３０の表示内容についてもＣＰＵ２２から出力される制御信号Ｓ１、Ｓ２に従って制御されるようになっている。
【００２５】
３．表示部の構成
表示部３０は筐体２０Ａの前面壁に上下に配置される二つの表示部、すなわち上側に配される第一表示部３１と、下側に配置される第二表示部４１とから構成されている。これら両表示部３１、４１は共に透過型の液晶表示ディスプレィであり、基本構造は同じであるので、以下、第二表示部４１を例にとって、図４〜図６を参照して説明する。
【００２６】
第二表示部４１は、２枚の偏光板間に液晶層（より詳しくは、一対のガラス板間に液晶を封入したもの）を有するＬＣＤ表示板（本発明の表示板に相当）４３と、ＬＣＤ表示板４３の背面に配置されるバックライト（本発明の表示用光源に相当）４５から構成される。バックライト４５はＬＣＤ表示板４３の全体を背面側から照らすことが可能なように、２つのＬＥＤから構成されている。これらＬＥＤは、ＣＰＵ２２から出力されるＬＥＤ制御信号Ｓ２により点灯制御される。
【００２７】
また、ＬＣＤ表示板４３のガラス板の内側には、後述するセグメント電極片（透明電極）Ａが複数個配置されており、これら各セグメント電極片Ａに対する通電の可否をＣＰＵ２２から出力される制御信号Ｓ１によって個別に制御することが可能とされている。すなわち、ＣＰＵ２２から制御信号Ｓ１が出力されて、一部のセグメント電極片Ａに電圧が加わる（通電状態となる）と、電圧が印加されたセグメント電極片Ａに対応する部分の液晶層では、光の透過が遮断される。一方、それ以外の部分では、液晶の効果により光が透過する。
【００２８】
そのため、ＣＰＵ２２により、これらセグメント電極片Ａを選択的に通電させて、バックライト４５から照射されＬＣＤ表示板４３を通過する光を部分的に遮断することで、所望の文字列をＬＣＤ表示板４３の画面上に表示することが出来る。尚、セグメント電極片Ａが、本発明のセグメント片に相当するものである。
【００２９】
表示構造について、より具体的に説明すると、セグメント電極片Ａは、ガラス板の内面の所定位置に配列されて４桁の表示体（図１参照）Ｒ１〜Ｒ４を構成している。図５はそのうちの一桁に相当する部分のみを示した図であるが、各表示体は、いわゆる７セグメント電極片（数字８を７つの電極片に分割したもの）Ａ１〜Ａ６に対して斜めに傾斜するセグメント電極片Ａ７〜Ａ１０を４つ加え、更に、７セグメント電極片の中央の片を２分割している（Ａ１１、Ａ１２）。すなわち、４桁の各表示体Ｒ１〜Ｒ４は、それぞれ１２個のセグメント電極片Ａ１〜Ａ１２から構成されている。
【００３０】
そして、先にも述べたように、これら各セグメント電極片Ａ１〜Ａ１２をＣＰＵ２２により選択的に通電させることで、単なる数字の表示に加えて、図６に示すように、「Ｋ」、「Ｍ」、「Ｖ」、「Ｗ」、「Ｘ」、「Ｚ」の英数字、並びにこれを組み合わせた文字列を表示することが可能となる。例えば、英数字「Ｋ」を表示する場合であれば、バックライト４５を点灯させた状態で、セグメント電極片Ａ５、Ａ６、Ａ７、Ａ９、Ａ１２を通電状態とし、その他のセグメント電極片Ａ１、Ａ２、Ａ３、Ａ４、Ａ８、Ａ１０、Ａ１１を非通電状態とすれば、通電部分の液晶層では光が遮断され、他の部分では光が透過するので、［Ｋ」の文字だけが黒く表示され、他の背景部分がバックライト４５の発光色と同色に発光する。
【００３１】
４．表示内容
次に、第一、第二表示部３１、４１に表示される具体的な表示内容について説明する。本実施形態の圧力センサ２０は、「検出」、「閾値設定」、「条件変更」の３つの機能を備えている。「検出」とは、圧力検出部２１によって実際に圧力を計測してそれに応じた出力を行なう、いわばセンサの本来的な機能である。「閾値設定」とは検出をするに先立って、判断基準となる閾値を設定するものである。
また、「条件設定」とは、閾値以外の各種条件を変更するものである。そして、メニュースイッチ５１を長押しすると、「検出」、「閾値設定」、「条件変更」の順に、両表示部３１、４１の表示が、各機能に対応する専用表示に切り替わるようにＣＰＵ２２により表示制御されている。
【００３２】
図７、図８は「検出」が選択された場合の、第一、第二表示部３１、４１の表示内容を示す図である。「検出」が選択された場合には、第一表示部３１に、検出値（圧力値）が数字表示され、第二表示部４１には、閾値或いは表示単位（表示された圧力値の単位）のいずれか一方が表示される。すなわち、図７の表示状態からメニュースイッチ５１を一定時間操作しないと、第二表示部４１の表示内容が図８の表示内容、すなわち表示単位を表す「ｋＰａ」（キロパスカル）に対応する英数字（ＫＰＡ）の表示に切り替わる。一方、これとは、反対に図８の表示状態からメニュースイッチ５１、上スイッチ５５ａ、下スイッチ５５ｂのいずれかのスイッチを押圧操作すると、第二表示部４１の表示内容が図７の表示内容、すなわち閾値を表す「−２３．１」の数字表示に切り替わる。
【００３３】
図９は、「閾値設定」が選択された場合の、第一、第二表示部３１、４１の表示内容を示す図である。「閾値設定」が選択された場合、第一表示部３１には、閾値としてそのときの圧力値（ここでは、「−５８．７」）が数字表示され、第二表示部４１には、「Ｐ−１」なる文字列が表示される。
この状態から上スイッチ５５ａを押圧操作すると、第一表示部３１の表示値が、例えば、０．１刻みに大きくなるように更新されてゆき、これとは反対に、下スイッチ５５ｂが押圧操作されると、表示値が０．１刻みに小さくなってゆく。そして、第一表示部３１の表示内容が所望の圧力値となったところで、メニュースイッチ５１を短時間押圧操作することで、そのときに第一表示部３１に表示されている表示内容が閾値に設定される。
【００３４】
尚、検出時であっても、上スイッチ５５ａ、下スイッチ５５ｂのいずれかを押圧操作することで、閾値を変更出来るようになっている。すなわち、検出時に、上スイッチ５５ａ、下スイッチ５５ｂのいずれかを押圧操作すると、操作時に、第二表示部４１に閾値以外が表示されていたとしても、表示内容が、閾値を表示する内容に強制的に変更される。そして、第二表示部４１の表示が閾値を表示する状態に変更された後、更に、スイッチ５５Ａ、５５Ｂを押圧操作すると、表示値が、例えば、０．１ずつ更新されてゆく（予め、第二表示部４１に閾値が表示されている場合には、スイッチ５５ａ、５５ｂの操作により、表示値がいきなり更新される）。
かくして、表示値が所望の値に変更された後、一定時間、スイッチ５５Ａ、５５Ｂを操作しない状態が続くと、そのとき表示されている値に閾値を変更（保持）する処理がＣＰＵ２２により行なわれ、その後、閾値の保持に続いて、第二表示部４１の表示内容は、スイッチ５５ａ、５５ｂによる操作を行う前の元の表示内容に戻されるようになっている。
【００３５】
また、本実施形態の圧力センサ２０は、閾値を複数設定出来るようになっており、一の閾値設定が完了した後に、メニュースイッチ５１に対する短時間の押圧操作がされると、第二表示部４１の表示内容が、「Ｐ−１」なる文字列を表示する表示内容から、「Ｐ−２」なる文字列を表示する表示内容に切り替わる。この表示状態で、先に説明した上、下スイッチ５５を押圧操作することで、第二の閾値を設定することが出来る。尚、「Ｐ−１」とは一番目の閾値のことであり、「Ｐ−２」とは、二番目の閾値のことである。
【００３６】
図１０は、「条件変更」が選択された場合の表示内容を示す図である。「条件変更」が選択されると、第二表示部４１には「表示単位」、「応答時間」、「出力モード」等のメニューに対応する表示がされ、第一表示部３１には各メニューに応じた項目（選択される具体的な条件）に対応する表示がされる。そして、上下スイッチ５５を操作することで、第一表示部３１に表示された項目を次の項目、或いは元の項目に変更出来る。また、メニュースイッチ５１を短時間押圧操作することで、メニュー、すなわち第二表示部４１の表示内容について切り換えることが出来るようになっている。
【００３７】
まず、メニューとして「表示単位」が選択された場合、第一表示部３１には、初期画面として「ｋＰａ」（キロパスカル）に対応する英数字（ここでは、「ＫＰＡ」）が表示され、第二表示部４１には、「Ｕｎｉｔ」（ユニット、単位）に対応する英数字が表示される。
【００３８】
そして、係る表示状態から上下スイッチ５５を押圧操作すると、第一表示部３１の表示内容が同図に示すように、「ｂａｒ」（バール）、「ｍｍＨｇ」（ミリメートルエイチジイ）、「ｉｎＨｇ」（インチエイチジイ）、「ｋｇＦ／ｃｍ２」（キログラム重/平方センチ）、「ＰＳＩ」（ピーエスアイ）に対応する英数字の表示内容に順に変更される。すなわち、「ｂａｒ」であれば「ｂＡｒ」と英数表示され、「ｍｍＨｇ」であれば「ＭＭＨｇ」と英数表示され、「ｉｎＨｇ」であれば「ｉｎＨｇ」と英数表示され、「ｋｇＦ／ｃｍ２」であれば「ＫｇＦ／」と英数表示され、「ＰＳＩ」であれば「ＰＳＩ」とそれぞれ英数表示される。
より具体的には、上下スイッチ５５が操作されると、操作されたスイッチ５５からＣＰＵ２２に対して操作に応じた信号が出力される。すると、ＣＰＵ２２は第二表示部４１の表示を変更するべく制御信号Ｓ１、Ｓ２を出力する。かくして、表示内容が上述のように変更されることとなる。
【００３９】
尚、上記構成により、本発明の「前記表示制御手段は、前記検出条件の選択が行われる場合には、前記両表示部のいずれか一方に、前記検出条件メニューを表示させ、他方側の表示部に前記検出条件を表示させるとともに、その状態から前記選択操作手段が操作されると、検出条件が表示された側の表示部の表示内容を前記選択操作手段が操作される都度、異なる検出条件を表示する内容に変更するべく表示制御する」が実現されている。
【００４０】
そして、所望の表示がされたところで、メニュースイッチ５１を短時間押圧操作することで、そのときの表示内容に、表示単位が設定される。
【００４１】
一方、「応答時間」が選択された場合、第一表示部３１には、初期画面として「２.５」が数字表示され、第二表示部４１には「ＴＩＭＥ」（タイム）に対応する英数字（ここでは、「ｔｉＭＥ」）が英数表示される。この状態から上下スイッチ５５を押圧操作すると、「表示単位」の場合と同様に第一表示部３１の表示内容が同図に示すように、「５．０」、「１０」、「２５」・・「５００」・・の順に変更される。そして、所望の表示がされたところで、メニュースイッチ５１を短時間押圧操作することで、そのときの表示内容に、センサの「応答時間」が設定される。尚、ここでいう、応答時間とは、検出がされた後、表示がされるまでの時間である。
【００４２】
また、「出力モード」が選択された場合、第一表示部３１には、初期画面として「Ｓｔｄ」（スタンダード）に対応する英数字が表示され、第二表示部４１には「ＭＯＤＥ」（モード）に対応する英数字が表示される。この状態から上下スイッチ５５を押圧操作すると、上記と同様に第一表示部３１の表示内容が同図に示すように、「ＨＹＳ」（ヒステリシス）、「Ｗ．ＣＭＰ」（ウインド・コンパレート）に対応する英数字の表示内容に順に変更される。そして、所望の表示がされたところで、メニュースイッチ５１を短時間押圧操作することで、そのときの表示内容に、センサの出力モードが設定される。
【００４３】
尚、「表示単位」、「応答時間」、「出力モード」が、本発明の「検出条件メニュー」に相当するものであり、これら「表示単位」、「応答時間」、「出力モード」に対する各項目が、本発明の「検出条件」に相当するものである。すなわち、「表示単位」に対する項目として本字形態では、「ｋＰａ」、「ｂａｒ」、「ｍｍＨｇ」、「ｉｎＨｇ」、「ｋｇＦ／ｃｍ２」、「ＰＳＩ」の６つの項目が設けられている。また、「応答時間」に対する項目として、「２．５」、「５．０」、「１０」、「２５」、「５００」等の複数の項目が設けられている。また、「出力モード」に対する項目として、「Ｓｔｄ」、「ＨＹＳ」、「Ｗ．ＣＭＰ」の３つの項目が設けられている。
【００４４】
このように、本実施形態によれば、表示部３０は、アルファニューメリック表示（英数表示）が可能とされている。一般に、センサの表示部は検出結果を表示する機能、すなわち複数桁の数字表示機能を備えていればよく、７セグメント表示タイプとなっているが、本実施形態のものは、これら複数桁の数字の表示に加えて、英数字を組み合わせた文字列等を表示することが可能となるので、バリエーションに富んだ表示を行なうことが可能となる。
【００４５】
また、表示部３０は、第一表示部３１と第二表示部４１の二つの表示部から構成され、検出中、第一表示部３１に検出値たる圧力値が表示され、第二表示部４１には表示単位を表示させることが可能とされている。仮に、圧力値のみを表示する構成とすると、オペレータの思い込み（現実の表示単位とは異なる単位で表示がされているという思い込み）により、検出レベルを誤って把握することが起こりえるが、検出値と併せて単位を表示させているので、係る誤認を未然に回避することが出来る。特に、圧力に使用される単位は、他の物理量に使用される単位に比べて、単位の種類が多く、表示単位等の表示がされていないと、どの表示単位で検出を行なっているか、特に判断し難いという事情があり、好適である。
【００４６】
また、表示単位としては、「ｋＰａ」、「ＭＰａ」、「ｍｍＨｇ」、「ｋｇＦ／ｃｍ２」等があるが、単なる数字のみ表示可能な表示体で、これらを表示することは難しく、仮に表示させたとしても、それは、「Ｋ」、「Ｍ」等の文字を省略させて表示させるものであったり、これらの文字を態様が似通った他の記号に置き換えて表示を行なう等であり、その表示を初めて見たものが、表示内容から表示単位を適格に把握できる、とは言いがたい。この点に関し、本実施形態のものでは、これらをアルファニューメリック表示させているので、表示が分かり易く、表示を初めて見た者であっても、表示内容から表示単位を容易に把握することが出来る。
【００４７】
また、本実施形態の圧力センサ２０は、「表示単位」、「応答時間」、「出力モード」等に関する設定を変更可能とされるが、これを、メニュースイッチ５１、並びに上下スイッチ５５による簡単な操作のみで変更することが出来る。例えば、メニューとして「表示単位」が選択されると、第一表示部３１の表示は、初期画面として「ｋＰａ」に対応する英数字が表示されるが、その状態から上下スイッチ５５を押圧操作すると、表示内容が「ｂａｒ」、「ｍｍＨｇ」、「ｉｎＨｇ」、「ｋｇＦ／ｃｍ２」、「ＰＳＩ」に対応する英数字の表示内容に、順に切り替わる。そして、所望の表示がされたら、後は、その項目に決定するべくメニュースイッチ５１を短時間押圧操作するだけ、表示されている表示単位に変更できる。
【００４８】
＜実施形態２＞
次に、本発明の実施形態２について図１１を参照して説明する。
実施形態１では、第一表示部３１、第二表示部４１を構成する各表示体を、共に１２個のセグメント電極片Ａより構成し、アルファニューメリック表示（英数字）を可能な構成とした。
一方、実施形態２の圧力センサ１００は、第二表示部１２０を構成する各表示体については、実施形態１と同じく１２個のセグメント電極片より構成し、アルファニューメリック表示（英数字）可能な構成とする一方、第一表示部１１０を構成する各表示体については、７個のセグメント電極片より構成している。
第一表示部１１０は、主として検出結果（数字表示）を表示することに使用されるので、数字表示機能を有する構成であればよく、これにより、両表示部３１、４１を共に、アルファニューメリック表示可能とする実施形態１の構成に比べて、コストが抑えられる。言い換えると、主として、「表示単位」を表示する第二表示部１２０がアルファニューメリック表示可能な構成であればよい。
【００４９】
＜実施形態３＞
次に、本発明の実施形態３を図１２を参照して説明する。
実施形態３は、検出手段として光電素子（投光素子、並びに受光素子）を有する光電センサ３００を例示するものである。光電センサ３００は、前記光電素子を内部に収容する本体ケース３０１を備えるとともに、本体ケース３０１の上面壁３０１Ａには、第一表示部３１０と第二表示部３２０が左右に並んで配置されている。
【００５０】
実施形態１と同様に各表示部３１０、３２０を構成する表示体は１２個のセグメント電極片からなるが、第一表示部３１０のバックライトの発光色と第二表示部３２０の発光色とを、互いに異ならせている。例えば、第一表示部３１０のバックライトを緑色とし、第二表示部３２０のバックライトを赤色としている。このような構成とすることで、両表示部３１０、３２０が異なる情報を表示していることを、作業者に視覚的に伝えることが出来る。特に、実施形態３のものは、表示部３１０、３２０が左右に並んでおり、両表示部３１０、３２０が同一色であると、全体で一の情報を表示するとの誤解を招く恐れがあるが、上記構成であれば、係る誤解を未然防止できる。
【００５１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５２】
（１）実施形態１、２では圧力センサ、実施形態３では光電センサをそれぞれ例示したが、二つの表示部を有するセンサであれば適用可能であり、例えば変位センサ、温度センサ、磁気式の近接センサ等であってもよい。
【００５３】
（２）実施形態１ないし実施形態３では、アルファニューメリック表示（英数表示）が可能な表示体として、１２個のセグメント電極片からなるものを例示したが、英数表示可能なものであればよく、表示体を１２以上のセグメント電極片（例えば、１４個のもの）からなる構成としてもよい。
【００５４】
（３）実施形態１ないし実施形態３では、いずれも表示部を液晶表示させる構成を例示したが、アルファニューメリック表示可能なセグメント形式の表示部であればよく、セグメント片自体を発光体（ＬＥＤ）により構成するものであってもよい。
【００５５】
（４）実施形態１では、英数字を組み合わせた表示として「ｋＰａ」、「ＭＰａ」、「ｍｍＨｇ」、「ｋｇＦ／ｃｍ２」等の表示単位に関する表示例、並びに「ＳＴＤ」、「ＨＹＳ」、「Ｗ．ＣＭＰ」等の出力モードに関する表示例を例示したが、表示させるものは、これに限定されるものでなく、英数字の組み合わせ（大文字、小文字を問わず）であれば種々の変形が可能である。例えば、上記表示例においても、図１３に示すように大文字、小文字等を組み合わせて（同図では、英数字の「Ｈ」を大文字から小文字に変更し、英数字の「Ｇ」を小文字から大文字に変更した例を例示してある）別の表示態様で同一の意味を表示させることが可能である。
【図面の簡単な説明】
【００５６】
【図１】実施形態１における圧力センサの使用状況を示す斜視図
【図２】吸引装置のヘッド部を拡大した図
【図３】圧力センサの電気的構成を示すブロック図
【図４】表示部の電気的構成を示す図
【図５】表示部を構成するセグメント電極片を示す図
【図６】英数字が表示された状態を示す図
【図７】検出中の表示内容を示す図
【図８】同じく、検出中の表示内容を示す図
【図９】閾値設定中の表示内容を示す図
【図１０】条件変更中の表示内容を示す図
【図１１】実施形態２に係る表示部を示す図
【図１２】実施形態３に係る表示部を示す図
【図１３】他の実施例を示す図
【符号の説明】
【００５７】
２０…圧力センサ（検出センサ）
２１…圧力検出部（検出手段）
２２…ＣＰＵ（表示制御手段）
３０…表示部（表示手段）
３１…第一表示部
４１…第二表示部
【図１】
2007064781.tif 000003
【図２】
2007064781.tif 000004
【図３】
2007064781.tif 000005
【図４】
2007064781.tif 000006
【図５】
2007064781.tif 000007
【図６】
2007064781.tif 000008
【図７】
2007064781.tif 000009
【図８】
2007064781.tif 000010
【図９】
2007064781.tif 000011
【図１０】
2007064781.tif 000012
【図１１】
2007064781.tif 000013
【図１２】
2007064781.tif 000014
【図１３】
2007064781.tif 000015